(57)【要約】【課題】  複数のプリンタがネットワーク上に接続され、それぞれのプリンタのキャリブレーション検知方法が有効で効率的なものであり、ネットワーク上の１つのプリンタにおいてキャリブレーションが発生する場合には、印刷処理を中断することなく、印刷処理を実行できる効率的な方法および印刷装置を提供すること。【解決手段】  クラスタリングサーバでキャリブレーション実施タイミングを管理 する。【選択図】  図１
2009051051.tif 000002
【特許請求の範囲】
【請求項１】
測色用カラーチャートを印刷物の余白位置に出力する手段を備えることを特徴とする印刷装置。
【請求項２】
前記測色用カラーチャートを印刷オペレータが指定する任意のページ毎に印刷指定する手段を備えることを特徴とする請求項１に記載の印刷装置。
【請求項３】
印刷機内に前記測色用カラーチャートを測色するカラーセンサーを設け、さらに前記カラーセンサーにて印刷実行中に印刷機内で測色を実施する手段を備えることを特徴とする請求項１又は請求項２に記載の印刷装置。
【請求項４】
前記測色において、印刷オペレータが任意の色差ΔＥの閾値を設定可能な手段と、色差ΔＥが閾値を超えた時点で、印刷オペレータに対してキャリブレーション実施を促がすＷＡＲＮＩＮＧメッセージを表示する手段とを備えることを特徴とする請求項１〜請求項３のいずれかに記載の印刷装置。
【請求項５】
それぞれ固有のタイミングでキャリブレーションを実施する複数の印刷機がネットワークを介して接続された印刷装置であって、複数の印刷機をクラスタリング実施環境下にするべくクラスタリングサーバを設け、前記クラスタリング環境下の複数プリンタにおけるキャリブレーショ実行タイミングをそれぞれの印刷機より取得し、キャリブレーショ実行タイミングをクラスタリングサーバによって管理する手段を備えることを特徴とする印刷装置。
【請求項６】
前記クラスタリング環境下において、環境下の１台の印刷機に対して印刷指示が出された場合に、クラスタリングサーバ内で管理されたキャリブレーショ実行タイミングとを照らし合わせ、当該印刷ジョブ実行中にキャリブレーションが発生されると判断した場合に、クラスタリング環境下の他のプリンタに印刷ジョブを分割し、当該印刷ジョブ実施中にキャリブレーション処理を実施することなく、処理を環境する手段を備えることを特徴とする請求項５に記載の印刷装置。
【発明の詳細な説明】
【技術分野】
【０００１】
本発明は、キャリブレーション検知方法および印刷装置に関し、ネットワークに接続されたプリンタの印刷特性を所定のものとすることである。
【背景技術】
【０００２】
電子写真方式のプリンタなどの印刷装置では、室温や湿度などの印刷環境や経時変化による使用条件の要因によって、出力特性に変化が生じ出力物の濃度や色味に差異が出てくることが一般的である。例えば、長時間連続して印刷を実行すると、印刷構成を司る感光ドラムの帯電特性に変化が起こり、またトナーの減少により定着するトナー量が変化することで、印刷画像における濃度や色味に影響を与え、大量の印刷を実施した場合に序盤の印刷物と中盤あるいは終盤と時間経過ごとに印刷物に差異がハッキリと現れる場合がある。
【０００３】
このような印刷環境や経時変化によって発生する出力特性の変化に対して、対象プリンタに対してキャリブレーション処理を実施することが一般的である。キャリブレーション処理の一つの方法として、キャリブレーション対象プリンタと前記プリンタを制御するホストＰＣが接続された構成において、前記プリンタより特定の測色パッチを出力して、出力した測色パッチを測定したデータより算出した色補正情報を、前記ホストＰＣへ転送してホストＰＣ側で測定データをもとにγ補正テーブルの更新を行い、また適切な色補正テーブルを選択し処理を実行することが知られている。そして、このように前記補正データによって、印刷画像に対して補正をかけて印刷データを生成する運びとなる。
【０００４】
このようなキャリブレーション処理は、プリンタの電源投入時やあらかじめスケジュールされた時刻や枚数カウンターによる印刷枚数ごと、各種センサーによって感知した情報によって自動的に実施されることが多い。
【０００５】
上記の例として、下記特許文献１をあげることが出来る。
【特許文献１】特開2004-017289号公報
【発明の開示】
【発明が解決しようとする課題】
【０００６】
しかしながら、このような自動的にキャリブレーション処理を実施する印刷装置において、温度・湿度センサーなどで印刷結果に影響を与えるとして、印刷オペレータがセッティングした設定値が実際には印刷結果に影響を与えない場合でも、センサーの精度によって感知してしまい、本来必要のないキャリブレーション処理を実施し、その結果、印刷ジョブ実行中にキャリブレーション処理が作動して印刷処理が中断し、印刷時間が長くなり印刷効率が悪くなるといった利用価値が下がる印刷装置となる問題が発生していた。また、設定時間ごとや印刷枚数ごとにキャリブレーションを実施する形態では、前例と同様に実際にはキャリブレーションを必要としないケースにキャリブレーションを実施してしまうこともあり、あるいは前記設定時間や印刷枚数に達する前にキャリブレーションが必要になるケースを見落とす問題が発生していた。さらに、ネットワーク網で接続されたプリンタにおいて、個々のプリンタごとに前記のようなキャリブレーション処理が実施されていては、プリンタごとにバラツキが生じる為に扱いづらい印刷装置となってしまい、ネットワーク接続プリンタとしての効力が半減してしまっていた。
【０００７】
本発明は、上記問題を解決する為のものであり、複数のプリンタがネットワーク上に接続され、それぞれのプリンタのキャリブレーション検知方法が有効で効率的なものであり、ネットワーク上の１つのプリンタにおいてキャリブレーションが発生する場合には、印刷処理を中断することなく、印刷処理を実行できる効率的な方法および印刷装置を提供することである。
【課題を解決するための手段】
【０００８】
測色用カラーチャートを印刷物の余白位置に出力する手段を備えることを特徴とする。
【０００９】
前記測色用カラーチャートを印刷オペレータが指定する任意のページ毎に印刷指定する手段を備えることを特徴とする。
【００１０】
印刷機内に前記測色用カラーチャートを測色するカラーセンサーを設け、さらに前記カラーセンサーにて印刷実行中に印刷機内で測色を実施する手段を備えることを特徴とする。
【００１１】
前記測色において、印刷オペレータが任意の色差ΔＥの閾値を設定可能な手段と、色差ΔＥが閾値を超えた時点で、印刷オペレータに対してキャリブレーション実施を促がすＷＡＲＮＩＮＧメッセージを表示する手段とを備えることを特徴とする。
【００１２】
それぞれ固有のタイミングでキャリブレーションを実施する複数の印刷機がネットワークを介して接続された印刷装置であって、複数の印刷機をクラスタリング実施環境下にするべくクラスタリングサーバを設け、前記クラスタリング環境下の複数プリンタにおけるキャリブレーショ実行タイミングをそれぞれの印刷機より取得し、キャリブレーショ実行タイミングをクラスタリングサーバによって管理する手段を備えることを特徴とする。
【００１３】
前記クラスタリング環境下において、環境下の１台の印刷機に対して印刷指示が出された場合に、クラスタリングサーバ内で管理されたキャリブレーショ実行タイミングとを照らし合わせ、当該印刷ジョブ実行中にキャリブレーションが発生されると判断した場合に、クラスタリング環境下の他のプリンタに印刷ジョブを分割し、当該印刷ジョブ実施中にキャリブレーション処理を実施することなく、処理を環境する手段を備えることを特徴とする。
【発明の効果】
【００１４】
以上、説明したように本発明によれば、印刷ジョブを流すだけで印刷オペレータが印刷ジョブ毎に印刷機の経時変化を知るべきカラーパッチを印刷余白等に自動的に挿入でき、この挿入箇所をページ間隔をあけて設定が可能であり、そのカラーパッチの印刷ジョブを止めずに印刷機内に設けたカラーセンサーで感知し、色差ΔＥ閾値が超えることでキャリブレーションＷＡＲＮＩＮＧメッセージとして表示できることで、印刷オペレータの測色作業が軽減され無駄なカラーパッチを出力することがなくなり、品質保持の為のコストも減少することができる。また、クラスタリングサーバを設けてクラスタリング印刷を実施可能な場合は、クラスタリングサーバ内で管理下の各印刷機キャリブレーション履歴情報を管理することで、各印刷機キャリブレーションの実施予想が算出され、印刷オペレータが実行する印刷ジョブの印刷枚数と当該印刷機のキャリブレーションまでの印刷枚数とを比較し、印刷ジョブを実施中にキャリブレーションが発生すると判断した場合には、クラスタリング環境下の他の印刷機へ自動的にジョブ分配させる機能を有することで、印刷実施中のキャリブレーションによるメンテナンス時間を省略でき、キャリブレーション前後での色味の違いによる失敗コストを未然に防げ、印刷ジョブを効率的かつ高品質な状態で迅速に処理できる環境を提供できる。
【発明を実施するための最良の形態】
【００１５】
次に、本発明の詳細を実施例の記述に従って説明する。
【００１６】
＜印刷装置の説明＞
図１は、ネットワーク網に接続された印刷装置であるホストＰＣやクライアントサーバ、印刷機を表す説明図である。図において本発明における印刷装置は、１０７はネットワーク網を表しＴＣＰ/ＩＰなどのプロトコルにより、接続される各装置相互の情報の授受やデータ転送を実施可能なものである。また、ネットワーク網１０７を構成する通信手段は、ネットワークケーブルなどの有線のものに限らず、無線ＬＡＮなどのシステムで構成することも可能である。ホストＰＣ１０１、１０２はネットワーク網１０７に接続されたホストコンピュータであり、印刷指示などを行うアプリケーションなどを搭載し、エンドユーザ（印刷オペレータも含む）が印刷実行操作を行う端末である。次に、印刷機１０４，１０５，１０６は、ネットワーク網１０７に接続される印刷装置である。送信される印刷ジョブデータに従い、対象メディアに対して印刷処理を実施する装置である。さらに、クラスタリングサーバ１０３は、前記印刷機１０４，１０５，１０６を統合して管理し印刷指示命令を統括するサーバ装置である。この装置では、前記ホストＰＣより送信された印刷ジョブに対して、ある一定条件のもとに印刷ジョブを統括下の印刷機に対して印刷ジョブを分割して送り込む機能を有するものである。
【００１７】
図２は、本発明の一実施形態に係る印刷指示を出すホストＰＣ１０１，１０２，１０３の構成を示すブロック図である。図２のこの印刷装置において、２０１はＣＲＴ（表示装置）であり、その表示画面には、例えば編集中の文書・図形・画像イメージなどの編集情報、アイコン・メッセージ・メニューその他のユーザインターフェース情報が表示される。２０２はＶＲＡＭであり、ＣＲＴ２０１の表示画面に表示するための画像が描画される。このＶＲＡＭ２０２にて生成された画像データは、所定の規定に従ってＣＲＴ２０１に転送され、これによりＣＲＴ２０１に画像が表示される。２０３はビットムーブユニット（ＢＭＵ）であり、メモリ間（例えばＶＲＡＭ２０２と他のメモリ）のデータ転送や、メモリとＩ／Ｏデバイス（例えば、後述するネットワークインターフェース２１１）との間のデータ転送を制御する。２０４はキーボードであり、文書等を入力するための各種キーを有する。２０５はポインティングデバイスであり、例えばＣＲＴ２０１の表示画面上に表示されたアイコン・メッセージ・メニューその他のオブジェクトを指示するために使用される。２０６はＣＰＵであり、後述するＲＯＭ２０８、ハードディスク２０９またはフレキシブルディスク２１０に格納された制御プログラムに基づいてＣＰＵ２０６に接続された各デバイスを制御する。２０８はＲＯＭであり、各種の制御プログラムやデータを保持する。２０７はＲＡＭであり、ＣＰＵ２０６のワーク領域、エラー処理時のデータの退避領域として使われ、制御プログラムのロード領域等を有する。２０９はハードディスクドライブ（ＨＤＤ）である。ハードディスクドライブ２０９は、情報処理装置内で実行される各制御プログラムやコンテンツを格納することができる。例えば、ホストＰＣ１０１，１０２のハードディスクドライブ２０９には、ＷＥＢブラウザ、電子アルバムデータ、アルバム編集プログラムなどが格納されている。２１０はフレキシブルディスクドライブ（ＦＤＤ）であり、フレキシブルディスクに対するアクセス制御を行う。２１１はネットワークインターフェースであり、他の情報処理装置やプリンタ等とネットワーク網２１２を介して通信を行うことが可能である。２１６はネットワーク網であり、オンラインで接続された他の情報処理装置と通信を行うものである。２１３はクラスタリングサーバであり、ホストＰＣ１０１，１０２より送信された印刷ジョブをクラスタリングサーバが管理する後述する印刷機Ａ２１４、印刷機Ｂ２１５、印刷機Ｃ２１６へ制限に沿った大きさに印刷ジョブを分割して送信するものである。２１４、２１５，２１６は印刷機であり、カラー印刷物を出力するカラープリンタである。２１２はＣＰＵバスであり、アドレスバス、データバスおよびコントロールバスを含むものである。ＣＰＵ２０６に対するプログラムの提供は、ＲＯＭ２０８、ハードディスクドライブ２０９、フレキシブルディスクドライブ２１０から実施することも可能で、ネットワーク網２１７を介して他の情報処理装置等から実施することも可能である。
【００１８】
＜印刷工程における経時変化の説明＞
図３において、印刷工程中に発生する経時変化が印刷物で起こる現象を表した説明図である。図３の（Ａ）から（Ｃ）は大量ページ数を印刷した場合に起こる色変動を表したものである。図３（Ａ）では、大量ページ印刷ジョブを実施した場合の序盤の様子である。序盤である為、印刷オペレータが色調整した状態に忠実に印刷を実施している。次に図３（Ｂ）では、大量ページ印刷ジョブの中盤あたりの印刷物である。ここでは、既に大量ページを印刷している為に色変動が発生しはじめている。さらに図３（Ｃ）においては、大量ページ印刷ジョブの終盤であり、序盤の印刷物に比べて相当な色変動が発生している。この状態では、印刷物をクライアントに提出できるものではなくなってしまい、印刷失敗となって再印刷を余儀なくされてしまうことになる。
【実施例１】
【００１９】
図４は、本発明における印刷機におけるトナー定着後搬出口に設置されたカラーセンサーおよび測色を実施ための測色用カラーパッチデータを表した説明図である。印刷機において、トナーの定着後に搬出口近くに測色用カラーパッチデータを測色するカラーセンサー４０１によって、白色ＬＥＤ４０２より放たれた光が、印刷メディア４０４上に印刷された測色用カラーパッチデータ４０５のトナーパッチ４０３に反射した反射光を測定する仕組みになっている。これの仕組みにより、印刷ジョブ実行中にその都度印刷物を手作業で測色する必要がなくなり、印刷実行中に自動的に測色することが可能になる。
【００２０】
図５では、本発明の印刷装置における各装置内での大まかな処理を表したブロック図である。ホストＰＣ５０１，５０６では内部にあらかじめインストールされた印刷出力を指示する印刷出力アプリケーション５０２があり、独自の形式の印刷データまたはＰＤＦなどの汎用データを印刷出力するものである。５１５キャリブレーション報知情報では、送信する印刷ジョブに対して、色差ΔＥの閾値や印刷物の余白に出力する図４で説明したカラーパッチの出力設定が存在する。印刷出力を行う印刷機５０７，５０８，５１４内部では、大きく分けて２つの役割に分かれている。まず１つは、印刷そのものを担当するエンジン部５０９である。エンジン部５０９では印刷そのものを実現する為の手法で、感光体を帯電器により帯電させた後、この感光体に印字データに従い書き込み用光源を発光させ、感光体表面に静電潜像を形成（露光）し、この静電潜像をトナーで可視化する方式である電子写真プロセス部５１０と、前記図４で説明したカラーセンサー部５１１から成り立っている。もう１つは、印刷をコントロールするコントロール部５１２である。前記コントロール部５１２では、主にキャリブレーション処理を行うキャリブレーション処理部５１３がある。印刷機５０７，５０８，５１４では、受信した印刷ジョブに従って印刷処理を実施する。前記印刷機５０７，５０８，５１４をコントロールする役目として、クラスタリングサーバ５０３が置かれている。クラスタリングサーバ５０３では、管理下の印刷機５０７，５０８，５１４のキャリブレーションを実行した情報を集めて、キャリブレーション情報管理部５０４として管理を行っている。キャリブレーション情報管理部５０４内部の説明として図６を用いて説明する。図６では、クラスタリング管理下のプリンタキャリブレーション情報管理部６０１が存在し、その中では、管理下である各印刷機のキャリブレーション履歴情報６０２として、履歴６０３、キャリブレーション日時６０４、キャリブレーションが発生した時点の印刷枚数６０５で構成されており、履歴として５回前までの情報と、５回前までの平均印刷枚数を表した平均６０６と、前記平均６０６より算出した次回キャリブレーションを実施するタイミング印刷枚数である次回までの残枚数６０７がデータとして存在し管理されている。また、印刷ジョブ分割制御部５０５においては、ホストＰＣ５０１、５０６より送信された印刷ジョブを後述する条件のもとにジョブ分割を行い、分割された印刷ジョブはクラスタリング管理下の印刷機５０７，５０８，５１４にそれぞれ割り振られる。ここでの説明において、各印刷機５０７，５０８，５１４のキャリブレーション履歴が５回前までとなっていたが、これは任意の回数を設定できるもので限定されたものではない。
【００２１】
次に図７において、本発明におけるキャリブレーション報知およびクラスタリング印刷を印刷開始より印刷終了までをフローチャートを用いて説明する。図７において、７０１ホストＰＣの印刷アプリケーション等より対象のプリンタへ印刷要求を行い、７０２ではキャリブレーション報知情報５１５を送信する印刷ジョブに付加する。７０３にて印刷ジョブをクラスタリングサーバ５０３へ転送する。７０４では、クラスタリングサーバ５０３にて当該プリンタのキャリブレーション履歴情報６０２を参照し、７０５では、当該プリンタのキャリブレーション履歴情報６０２より次回キャリブレーションまでの予定枚数データを取得する。７０６では印刷ジョブより印刷要求枚数を取得する。７０７にて、前記７０６で取得した印刷要求枚数と７０５で取得した次回キャリブレーションまでの予定枚数とを比較し、７０８において、７０７での比較結果より印刷中キャリブレーションが発生しないと判断された場合は、７０９当該プリンタへそのまま印刷ジョブを渡し、７１０にて当該プリンタにて印刷実行処理（後述図１０）を行い、処理実行後印刷終了となる。７０８にてキャリブレーション発生が予想されると判断された場合は７１１への処理へと続く。
【００２２】
次に、図８において前記７０８にてキャリブレーション発生予想の場合の処理についてフロ−チャートを用いて説明する。８０１にて、キャリブレーション情報管理部５０４内で当該プリンタ以外のクラスタリング管理下における、他のプリンタの次回キャリブレーションまでの予想枚数を取得する。８０２では、８０１で取得した情報より予想枚数が多い順に並べる。８０３で、クラスタリングを実施する為に印刷ジョブをクラスタリング下のプリンタへジョブを分割するため、印刷ジョブ分割テーブルを作成する処理へと続く。図１１にて、ジョブ分割テーブルについて説明する。１１０１はジョブ分割テーブルであり、１１０２分割ジョブＮｏ．で１１０３各々の分割ジョブにおける分割した印刷枚数を表している。１１０４が示すように印刷データとして１３００枚が要求された場合は、１１０５にて５つのジョブに分割して処理を継続することになる。ここでの例では、５つの分割ジョブとしたが、分割数は任意であり限定されるものではない。図９を用いて前記８０３における印刷ジョブ分割テーブル作成処理を説明する。９０１にて、印刷要求枚数とクラスタリング管理下のキャリブレーションまでの予想枚数合計とを比較し、９０２で、クラスタリング管理下のキャリブレーションまでの予想枚数合計が多いと判断した場合、９０３にて当該プリンタのキャリブレーション予定枚数のＭＡＸの印刷枚数を、図１１に示すジョブ分割テーブに設定し、９０４にて、次回キャリブレーションまでの予定枚数が多いプリンタより、キャリブレーション制限値をジョブ分割テーブルに設置する。９０５にて、印刷残枚数が終了した場合には印刷ジョブ分割テーブル作成処理を終了する。終了と判断されるまで９０４のジョブ分割テーブルに設定する処理を行う。９０２において、印刷要求枚数の方が多いと判断された場合は、９０６キャリブレーション実施要求メッセージ図１２が表示され、キャリブレーション実施処理へと流れる。８０４にて、前記８０３において分割したジョブを分割対象のプリンタへ転送する。８０５では、転送先のプリンタでの印刷実行処理となる。詳細を図１０を用いて説明する。１００１にて、印刷ジョブ内のキャリブレーション報知情報を読み込み、１００２当該ページデータを読み込む。１００３で、当該ページデータがカラーパッチ出力ページであるかを判断、カラーパッチ出力ページと判断した場合、１００４にて当該印刷用紙の余白の既定位置へ測色用カラーチャート出力設定を行い、１００３にてカラーパッチ出力ページはないと判断した場合は、測色用カラーチャート出力設定は行わない。１００５にて当該ページの印刷を実行する。１００６にて当該印刷ページがカラーパッチ出力ページかの判断を行い、カラーパッチ出力ページの場合は、１００７にて図４の装置によりカラーチャートの測色を実施、１００８にてキャリブレーション報知設定ダイアログ図１３（Ａ）１３０１で設定した１３０２色差ΔＥと閾値の比較を行い、閾値を超えたと判断した場合にはキャリブレーション報知メッセージ図１３（Ｂ）１３０４を表示し、キャリブレーション実施処理へと流れる。１３０３ではカラーパッチ出力のページ毎設定である。１００８にて、閾値を超えていないと判断され���場合は、１００９にて当該ページが最終ページかを判断し、最終ページでない場合は１０１１にてページカウンタＵＰを行い、再度１００２にてページデータを読み込むことになる。８０６にて、クラスタリング管理下のプリンタのキャリブレーション情報管理部の次回キャリブレーションまでの予想枚数を更新する処理を実施し、印刷終了となる。
【実施例２】
【００２３】
本発明において、キャリブレーション報知を無視する設定も可能である。図１４の１４０４報知メッセージ出力を「なし」に設定することで、キャリブレーション報知されず、印刷オペレータが指定した印刷機のみでクラスタリング処理もされずに、色変動を無視した印刷が実行される。これによって、色味に関して頓着しない印刷ジョブなどは迅速に印刷ジョブを処理できる。
【図面の簡単な説明】
【００２４】
【図１】ネットワーク網に接続された印刷装置であるホストＰＣやクライアントサーバ、印刷機を表す説明図
【図２】本発明の一実施形態に係る印刷指示を出すホストＰＣ１０１，１０２，１０３の構成を示すブロック図
【図３】印刷工程中に発生する経時変化が印刷物で起こる現象を表した説明図
【図４】印刷機におけるトナー定着後搬出口に設置されたカラーセンサーおよび測色を実施ための測色用カラーパッチデータを表した説明図
【図５】印刷装置における各装置内での大まかな処理を表したブロック図
【図６】クラスタリング管理下のプリンタキャリブレーション情報管理部を表したブロック図
【図７】キャリブレーション報知およびクラスタリング印刷を印刷開始より印刷終了までをフローチャート
【図８】キャリブレーション発生予想の場合の処理についてのフロ−チャート
【図９】印刷ジョブ分割テーブル作成のフロ−チャート
【図１０】印刷実行処理を表すフローチャート
【図１１】クラスタリングにおける印刷ジョブ分割テーブルを表した説明図
【図１２】キャリブレーション実施要求メッセージダイアログ
【図１３】キャリブレーション報知設定ダイアログとキャリブレーション報知メッセージダイアログ
【図１４】キャリブレーション報知を無視した設定を設けたダイアログ
【符号の説明】
【００２５】
２０１  ＣＲＴ
２０２  ビデオ ＲＡＭ(ＶＲＡＭ)
２０３  ＢＭＵ
２０４  キーボード
２０５  ＰＤ(ポインティングデバイス)
２０６  ＣＰＵ
２０７  ＲＡＭ
２０８  ＲＯＭ
２０９  ＨＤＤ(ハードディスクドライブ)
２１０  ＦＤＤ(フレキシブルディスクドライブ)
２１１  Net-I/F
２１２  ＣＰＵバス
２１３  クラスタリングサーバ
２１４  印刷機Ａ
２１５  印刷機Ｂ
２１６  印刷機Ｃ
２１７  ネットワーク網
【図１】
2009051051.tif 000003
【図２】
2009051051.tif 000004
【図３】
2009051051.tif 000005
【図４】
2009051051.tif 000006
【図５】
2009051051.tif 000007
【図６】
2009051051.tif 000008
【図７】
2009051051.tif 000009
【図８】
2009051051.tif 000010
【図９】
2009051051.tif 000011
【図１０】
2009051051.tif 000012
【図１１】
2009051051.tif 000013
【図１２】
2009051051.tif 000014
【図１３】
2009051051.tif 000015
【図１４】
2009051051.tif 000016